(57)【要約】      （修正有）【課題】「天と地を繋ぐ天使界の扉を開く音」と言われ、心身を癒す効果が謳われている４０９６ヘルツの音を発することができる発音器具を提供する。【解決手段】発音器具は、リード及びプレートからなる４０９６ヘルツの音を出す発音体１２と、天使をモチーフとしたデザインの貴金属製ペンダントを有し、貴金属製ペンダントは、発音体の一部または全部を収納するための収納部を有し、発音体が収納部に収納される。【選択図】図１０
0003230332.tif 000002
【実用新案登録請求の範囲】
【請求項１】
器具（リード板）の構造において、器具内部に専用設計のリード（弁）及びプレート（板状の物）を設けることで、従来の器具（リード板）では発することのできなかった４０９６ヘルツの音を出すことを可能とした器具（リード板）。
【請求項２】
４０９６ヘルツの音を出す発音体として、材質を貴金属等で製造し、天使をモチーフとしたデザインのペンダント（首飾り）に簡単に付属させることにより運搬や収納に便利で、且つ、宝飾品として日常的に身につけることを可能とし、さらに、使用する際にまるで「天使界の扉を開き天使を呼ぶ」かのような気分を高揚させる演出効果もある請求項１に記載の器具（リード板）。
【考案の詳細な説明】
【技術分野】
【０００１】  本考案は、一般に「天と地を繋ぐ天使界の扉を開く音」と言われ、心身を癒す効果があると謳われている４０９６ヘルツの音を発することができる器具（リード板）に関するものである。
【背景技術】
【０００２】  一般にこの「天と地を繋ぐ天使界の扉を開く音」と言われる４０９６ヘルツの音の効果は、音の波動を通じて心身を癒す効果だけでなく、空間や植物、物類をも浄化させる効果があると謳われているが、この音を出すには、音叉と呼ばれるＵ字状に分かれた金属製の物を水晶で叩くことにより音を発するクリスタルチューナーと呼ばれる発音体を用いており、従来の器具（リード板）ではこの音を出すことができなかった。
【先行技術文献】
【特許文献】
【０００３】
【特許文献１】特になし
【非特許文献】
【０００４】
【非特許文献１】“意外と知られていない、４０９６ｈｚから得られる効果とは”［令和２年６月１８日検索］インターネット〈ｈｔｔｐｓ：／／ｓｐｉｒｉｔｕａｌｐｏｗｅｒ．ｂｉｚ／４０９６ｈｚ−２４６３．ｈｔｍｌ〉
【考案の概要】
【考案が解決しようとする課題】
【０００５】  上述のとおり、この４０９６ヘルツの音を出すには、一般にクリスタルチューナーを使用し、従来の器具（リード板）では出すことができなかった。また、クリスタルチューナーは材質が金属製と水晶のため、使用時に水晶が破損したり、また、形状がかさばるので運搬時や収納時に不便である等の難点があった。
【課題を解決するための手段】
【０００６】  本考案は、器具（リード板）の構造において、器具内部に専用設計のリード（弁）及びプレート（板状の物）を設けることで従来の器具では出すことのできなかった４０９６ヘルツの音を出すことを可能とし、また、形状もコンパクトにしてペンダントに付属させることを可能にすることにより、宝飾品として普段から身に着けることができるようになり、運搬時や収納時の難点も解決している。
【考案の効果】
【０００７】  上述の様に、従来はクリスタルチューナーを使わないと出せなかった４０９６ヘルツの音をこの器具を吹くだけで出せるようになることで、より手軽に「天と地を繋ぐ天使界の扉を開く音」による癒しの効果を得ることができ、また、材質も１８Ｋ、ＰＴ９００、ＷＧ、ＳＶ等の貴金属等で製造することができ、ペンダントに付属させることで質感の良い宝飾品としても日常的に身につけることができるので、これをより身近に使用することができる。
【図面の簡単な説明】
【０００８】
【図１】本考案の器具の構造において、器具内部に取り付ける専用設計のリード（弁）部分の斜視図である。
【図２】本考案の器具の構造において、上記専用設計のリード（弁）を専用設計のプレート（板状の物）に取り付ける組立手順を示した斜視図および取り付けた後の斜視図である。（ａ）は、リード部分をプレート部分に取り付けるためのネジ部分の斜視図、（ｂ）は、リード部分の斜視図、（ｃ）は、プレート部分の斜視図、（ｄ）は、組立て完了後の斜視図である。
【図３】上記組立が完了した状態のプレート部分の概略斜視図である。
【図４】上記図３のプレート部分を器具本体に取り付ける組立手順を示した斜視図および取り付けた後の斜視図である。（ａ）は、プレート部分の斜め下方向からの斜視図、（ｂ）は、同プレート部分の斜め上方向からの斜視図、（ｃ）は、プレート部分取付け前の器具本体の斜視図、（ｄ）は、組立て完了後の器具本体の斜視図である。
【図５】本考案の器具本体の概略断面図である。
【図６】本考案の器具本体及びペンダントトップ部分の組立手順を示すための組立て前の裏面からの斜視図である。（ａ）は、器具本体を組み立てる前のペンダントトップ部分の斜視図、（ｂ）は、器具本体の斜視図である。
【図７】上記器具部分とペンダントトップ部分の組立て手順を示すための斜視図である。
【図８】組立完了した状態のペンダントトップの裏面の姿図である。
【図９】その正面斜め上方向からの概略斜視図である。
【図１０】その正面からの全体姿図である。
【考案を実施するための形態】
【０００９】  図１に示すように、リード全体１は長さ７．７ｍｍ、リード先端部分は２長さ５．５ｍｍ、３幅１．７ｍｍ、４厚さ０．０７ｍｍ、リード固定部分は５厚さ０．４ｍｍと先細りの形状になっている。リードを固定するためのネジ穴６ａの直径は１．０ｍｍである。
【００１０】  図２に示すように、リード１のネジ穴６ａとプレート８のネジ穴６ｂにネジ７を通してリード１をプレート８へ固定させる。プレート８には、空気を通すための窓９がある。
【００１１】  図３に示すように、リード１を取り付けたプレート８の窓９は、リード１より一回り大きく、その隙間９ａ，９ｂ，９ｃは０．１ｍｍあり、９ａ，９ｂ，９ｃから空気が流れるようになっている。窓９の寸法は、幅１０が１．９ｍｍ、長さ１１が５．６ｍｍである。
【００１２】  図４に示すように、リード１、プレート８を器具本体１２に取付ける。図５に示すように、器具本体の送気口１３から息を吹き込むと、器具本体１２の内部を通った空気がリードとプレートの隙間９ａ，９ｂ，９ｃから流れ出る際に気流によりリード１が振動することにより音を発する。
上述の専用設計により、このとき発する音を４０９６ヘルツの音にすることを可能とした。
【００１３】  図６、図７、図８、図９、図１０に示すように、器具本体１２をペンダントヘッド１４に簡単に取付けることができる。取付け方法は、ペンダントの留め具部分１５を開閉することにより容易に器具本体１２をペンダントヘッド１４に固定することを可能とした。
器具本体１２、ペンダントヘッド１４、ペンダントチェーン１６の材質を１８Ｋ、ＰＴ９００、ＷＧ、ＳＶ等の貴金属等にすることにより宝飾品として日常的に身に着けることができ、運搬・収納も容易になり、より身近に「天と地を繋ぐ天使界の扉を開く音」の効果を得ることができる。
さらに、ペンダントヘッド１４の形は、天使をモチーフとしたデザインとすることで使用する人の感受性に与える工夫を行い、このペンダントを使用することにより、まるで「天使界の扉を開き天使を呼ぶ」かのような気分を高揚させる演出効果もある。
【符号の説明】
【００１４】１．リード全体
２．リード先端部分の長さ
３．リード先端部分の幅
４．リード先端部分の厚さ
５．リード固定部分の厚さ
６ａ．リードのネジ穴
６ｂ．プレートのネジ穴
７．ネジ
８．プレート
９．窓
９ａ．リードとプレートの隙間
９ｂ．リードとプレートの隙間
９ｃ．リードとプレートの隙間
１０．窓の幅
１１．窓の長さ
１２．器具本体
１３．器具の送気口
１４．ペンダントヘッド
１５．ペンダントの留め具部分
１６．ペンダントチェーン
【図１】
0003230332.tif 000003
【図２】
0003230332.tif 000004
【図３】
0003230332.tif 000005
【図４】
0003230332.tif 000006
【図５】
0003230332.tif 000007
【図６】
0003230332.tif 000008
【図７】
0003230332.tif 000009
【図８】
0003230332.tif 000010
【図９】
0003230332.tif 000011
【図１０】
0003230332.tif 000012
【手続補正書】
【提出日】令和2年10月15日(2020.10.15)
【手続補正１】
【補正対象書類名】実用新案登録請求の範囲
【補正対象項目名】全文
【補正方法】変更
【補正の内容】
【実用新案登録請求の範囲】
【請求項１】
リード及びプレートからなる４０９６ヘルツの音を出す発音体と、天使をモチーフとしたデザインの貴金属製ペンダントを有し、前記貴金属製ペンダントは、前記発音体の一部または全部を収納するための収納部を有し、前記発音体が前記収納部に収納された発音器具。